(57)【特許請求の範囲】
【請求項１】
多数の部品を並列して収容したパレットを定位置に搬入するパレット搬入出部位と部品受け渡し部位の上方に渡って延在した第１ガイドレールと、
前記第１ガイドレールに対し平面内で直交し前記パレット搬入出部位の上方に延在した第２ガイドレールと、
前記第１ガイドレールに案内されて走行する第１移動体と、前記第２ガイドレールに案内されて走行する第２移動体とを備え、
前記第２移動体には前記第１移動体に係脱可能に連結され第２移動体と分離可能であり部品を掛架支持するためのフック構成体を有し、
前記パレット搬入出部位で前記第２移動体を第２ガイドレールで案内してパレット内から前記フック構成体により部品を取出し、部品取出し後に前記フック構成体を前記第１移動体に連結し、第１ガイドレールに案内されて走行する第１移動体を介して部品受け渡し部位に走行移動させるようにしたことを特徴とする部品取出し装置。
【発明の詳細な説明】
【０００１】
【発明の属する技術分野】
本発明は、パレットに収容された多数の部品を１つずつ自動的に取出して部品受け渡し部位に位置させる部品取出し装置に関するものである。
【０００２】
【従来の技術】
自動車ボディーの組付においては、組付ラインに部品を搬入して組付治具に供給している。従来では、図８で示すように、組付治具Ｔの近傍の定位置Ｓに搬入されたパレット内の多数の部品を消化した空パレットＰ１を前記定位置Ｓより搬出し、多数の部品を収容した実パレットＰ２を前記定位置Ｓに搬入する。パレット入れ替え時に部品の供給遅れを防止するため３枚の部品を同時に取出して組付治具Ｔのそばに一時置きし、前回供給した部品のパレットが入れ替えを完了するまで前記一時置きしている部品を組付治具Ｔに供給してパレット部品供給遅れを防止している。
【０００３】
前記図８は１部品の供給であるが、２部品の供給は図９で示すように、例えばパレットを搬入する複数の定位置Ｓ１，Ｓ２を設定し、それぞれの定位置Ｓ１，Ｓ２に対し前記のように空パレットＰ１の搬出と実パレットＰ２の搬入を行って組付治具Ｔに供給している。
【０００４】
【発明が解決しようとする課題】
前記従来の何れにおいても、パレット入れ替え時に部品を組付治具のそばに一時置きするため、これが作業者に対する重筋作業となっている。また、パレットまで取りに行く歩行数があり、作業の余分な仕事及び労力となる。さらに、２種類の部品がある場合は作業者の部品を取出しに行く位置が変化し、これに伴い作業時間が変化して常に同一時間での作業ができない問題があった。
【０００５】
特に、図９で示すような複数の定位置に置かれた場合はパレットと組付治具との間の作業者の歩行距離が長くなり困難性があった。
【０００６】
本発明の目的は、パレットの搬入部位と部品受け渡し部位とを一定の位置とし、パレットからの部品取出しを自動化して部品取出し及び供給の省力化と能率化を可能にすると共に、可動部分を小型軽量化した部品取出し装置を提供することである。
【０００７】
【課題を解決するための手段】
上記の目的を達成するための本発明の要旨は、多数の部品を並列して収容したパレットを定位置に搬入するパレット搬入出部位と部品受け渡し部位の上方に渡って延在した第１ガイドレールと、前記第１ガイドレールに対し平面内で直交し前記パレット搬入出部位の上方に延在した第２ガイドレールと、前記第１ガイドレールに案内されて走行する第１移動体と、前記第２ガイドレールに案内されて走行する第２移動体とを備え、前記第２移動体には前記第１移動体に係脱可能に連結され第２移動体と分離可能であり部品を掛架支持するためのフック構成体を有し、前記パレット搬入出部位で前記第２移動体を第２ガイドレールで案内してパレット内から前記フック構成体により部品を取出し、部品取出し後に前記フック構成体を前記第１移動体に連結し、第１ガイドレールに案内されて走行する第１移動体を介して部品受け渡し部位に走行移動させるようにしたことを特徴とするものである。
【０００８】
【発明の実施の形態】
以下本発明の実施の形態を図面に基づいて説明する。図１は正面図、図２は側面図である。図１において、Ａはパレット搬入出部位であり、Ｂは部品受け渡し部位である。１は多数の部品Ｗが並列して収容されているパレットである。
【０００９】
前記パレット搬入出部位Ａと部品受け渡し部位Ｂの上方に渡って第１ガイドレール２が延在され、また、図２で示すように、前記パレット搬入出部位Ａは図２にも示すように、前記第１ガイドレール２に対し平面内で直交し前記パレット搬入出部位Ａの上方に第２ガイドレール３が延在している。
【００１０】
図３及び図４で示すように、前記第１ガイドレール２には図略のシリンダ装置によって走行する第１移動体４が案内されている。この第１移動体４には前記第２ガイドレール３と連絡して後述するフック構成体２０を案内する第３ガイドレール１２と、後述するフック構成体２０に連結する連結ピン１０と、高さ方向ガイド１７とを備えている。尚、前記連結ピン１０はソレノイド等の駆動装置１３によって上下方向に作動するようになっている。
【００１１】
前記第２ガイドレール３には第２移動体５が案内されている。この第２移動体５の走行は前記第２ガイドレール３と平行に設けられたボールネジ７によって送り移動され、ボールネジ７はモータ８によって正逆回転する。
【００１２】
前記第２移動体５にはフック構成体２０が切り離しにより分離可能に設けられている。このフック構成体２０は前記第２移動体５の下部から水平方向に延在されている連係プレート１５の上面に第１ガイドレール２と同一方向に設けられているガイド溝１６に係脱可能に案内される保持プレート９と、この保持プレート９に固定保持されているフック固定用パネル１１と、このフック固定用パネル１１に固定されたフック６とから構成されている。尚、前記保持プレート９には前記第１移動体４に設けられている連結ピン１０が係脱する穴（図略）を有しており、前記フック６は図示省略している駆動装置によって上下方向に位置を調整可能としている。
【００１３】
上記の構成による本発明の動作について説明する。尚、説明の便宜上で部品Ｗを部品受け渡し部位Ｂに取り出した後にパレット１上の部品Ｗを受け取りに行く動作から説明する。
【００１４】
図５（ａ）で示すように、第２移動体５は１サイクルする前回の移動でパレット搬入出部位Ａの先端部に待機している。この待機している第２移動体５に向かって第１移動体４によりフック構成体２０が走行移動する。これは連結ピン１０が下降動してフック構成体２０の保持プレート９に係合し、第１移動体４でフック構成体２０を連れて移動する。
【００１５】
図６（ａ）及び（ｂ）で示すように、フック構成体２０が第２移動体５に移動したときに、保持プレート９が連係プレート１５の上面のガイド溝１６に挿入して係合する。これによりフック構成体２０は第２移動体５に連結される。また、このとき第１移動体４の第３ガイドレール１２は図６（ｃ）で示すように、第２ガイドレール３と同一軸線で合致する。
【００１６】
上記フック構成体２０が第１移動体５に連結された後に連結ピン１０が駆動装置１３によって上昇し保持プレート９との係合を解除してフック構成体２０は第１移動体４から切り離された状態にする。
【００１７】
次にモータ８によってボールネジ７を回転し、図７（ａ）及び（ｂ）で示すように、第２移動体５を第２ガイドレール３に沿って走行移動する。これによりフック構成体２０も第２移動体５によって連れ動きし、第３ガイドレール１２から第２ガイドレール３に移行してパレット１の方向に移動する。
【００１８】
第２移動体５によってパレット１の方向に移動したフック構成体２０のフック６はパレット１上の部品Ｗの１つを掛架支持する。前回の取り出し動作で１つずつ減少して行くパレット１上の部品Ｗを掛架支持する動作は、ボールネジ７によって第２移動体５の移動量を部品Ｗの１つ分だけ増し移動させることにより部品Ｗの減少に追従してフック６を掛架支持する部品Ｗの位置に制御する。
【００１９】
フック６でパレット１上の部品Ｗの１つを掛架支持した後は第２移動体５が第１ガイドレール２の方向に移動し、フック構成体２０を同方向に連れ動かす。これにより、パレット１上から１つの部品Ｗが取り出される。
【００２０】
その後は前記の逆の動作となり、フック構成体２０が第２ガイドレール３から第１移動体４に設けられている第３ガイドレール１２に移行し、連結ピン１０が下降して保持プレート９に係合する。この段階でフック構成体２０は第１移動体４と連結された状態になる。
【００２１】
この状態で第１移動体４は部品受け渡し部位Ｂの方向へ移動を開始する。この第１移動体４の部品受け渡し部位Ｂの方向へ移動によってフック構成体２０は同方向に連れ動きし、保持プレート９は連係プレート１５の上面に第１ガイドレール２と同一方向に設けられているガイド溝１６に沿って相対摺動してガイド溝１６より離脱する。これによりフック構成体２０は第２移動体５と完全に切り離され、第１移動体４に従属しフック６に掛架支持している部品を部品受け渡し部位Ｂに搬送するのである。
【００２２】
このように、パレット１から部品Ｗを１つずつ取り出して部品受け渡し部位Ｂに搬送するので、作業者は常に一定位置で部品Ｗを受け取って供給することができ、作業者の省力化が得られる。
【００２３】
また、パレット搬入出部位Ａと部品受け渡し部位Ｂとの間の動作は第１移動体４で、パレット搬入出部位Ａにおけるパレット１から部品Ｗ２を取出す動作は第２移動体５で行うようにそれぞれ分割分担させ、かつ部品Ｗを掛架支持するフック構成体２０は前記第１移動体４及び第２移動体５のそれぞれに連結及び分離可能としているため、これらの可動部分が小型軽量化され、これらを作動するシリンダやモータ８は出力の小さいもので十分であり省エネルギー化が図られると共に、移動時におけるフリクションが減少し、作動の制御が楽になり精度の良好な動作が得られる。
【００２４】
【発明の効果】
以上のように本発明によると、パレットの搬入部位と部品受け渡し部位とを一定の位置とし、パレットからの部品取出しを自動化して部品取出し及び供給の省力化と能率化を可能にし、かつ可動部分が小型軽量化されていることにより省エネルギー化と精度の良好な作動制御が得られる利点を有している。
【図面の簡単な説明】
【図１】本発明の正面図
【図２】本発明の側面図
【図３】本発明の要部正面図
【図４】本発明の要部側面図
【図５】部品を受け取りに行く動作開始状態の説明図
【図６】フック構成体がパレット搬入出部位に位置した状態の説明図
【図７】フック構成体がパレット搬入出部位に移動する状態の説明図
【図８】従来の１部品の供給動作説明図
【図９】従来の２部品の供給動作説明図
【符号の説明】
１        パレット
２        第１ガイドレール
３        第２ガイドレール
４        第１移動体
５        第２移動体
６        フック
７        ボールネジ
８        モータ
９        保持プレート
１０      連結ピン
１１      フック固定用パネル
１２      第３ガイドレール
１３      駆動装置
１５      連係プレート
１６      ガイド溝
１７      高さ方向ガイド
２０      フック構成体
【図１】
0003597029.tif 000002
【図２】
0003597029.tif 000003
【図３】
0003597029.tif 000004
【図４】
0003597029.tif 000005
【図５】
0003597029.tif 000006
【図６】
0003597029.tif 000007
【図７】
0003597029.tif 000008
【図８】
0003597029.tif 000009
【図９】
0003597029.tif 000010